(57)【特許請求の範囲】
【請求項１】
軸筒の後端開口から突出する弾性材料からなる摩擦部材を有したノック体を操作することにより、前記軸筒内に配設した固定カムを前進させると共に当該軸筒内に配設した回転カムを回動させ、前記軸筒の内部に収容した筆記体のペン先が該軸筒の前端孔より突出した状態となる熱変色性筆記具であって、前記固定カムの上方に前記軸筒の後端開口から突出する突出部を形成し、前記摩擦部材の側面の一部を膨出させて紙面等に接触させる摩擦部を形成し、前記摩擦部材に貫通孔を形成して該貫通孔に前記突出部を挿着させて一体とし、前記摩擦部材の貫通孔を前記軸筒の軸心に沿って形成すると共に、前記固定カムに形成した突出部の後端に前記摩擦部材の後端面より露出する鍔部を形成し、且つ筆記体のペン先を前記軸筒の内部に収容した状態で前記摩擦部材の前端部の外側面を該軸筒の後端部の内側面に近接させる構造としたことを特徴とする熱変色性筆記具。
【発明の詳細な説明】
【技術分野】
【０００１】
本発明は、熱変色性筆記具に関し、詳細には、軸筒の後端開口から突出する弾性材料からなる摩擦部材を有したノック体を操作することにより、軸筒内に配設した固定カムを前進させると共に当該軸筒内に配設した回転カムを回動させ、軸筒の内部に収容した筆記体のペン先が該軸筒の前端孔より突出した状態となる熱変色性筆記具に関する。
【背景技術】
【０００２】
特許文献１および特許文献２には、ペン先から熱変色性インキを吐出可能な筆記体を、軸筒内に前後方向へ移動可能に収容させ、軸筒後方のノック体を前方へ押動することにより、軸筒内に配設したコイルスプリングの弾発力に抗して、筆記体のペン先を軸筒の前端孔から突出させる熱変色性筆記具が開示されている。
特許文献１の熱変色性筆記具では、ノック体を弾性材料から一体で形成して外面に摩擦部を形成しており、特許文献２の熱変色性筆記具では、ノック体の外面に弾性材料からなる摩擦部を外皮として形成している。特許文献１および特許文献２の熱変色性筆記具は、弾性材料からなるノック体の摩擦部で熱変色性インキにより紙面等に形成された筆跡を摩擦して、その際に生じる摩擦熱により前記熱変色性インキの筆跡を熱変色させるものである。
このようなことから、ノック体に摩擦部を設けた熱変色性筆記具においては、摩擦を行いやすくするために、ノック体に設けた摩擦部が摩擦時に変形したり揺れ動かないようにすることが求められている。
また特許文献３の熱変色性筆記具では、摩擦時における摩擦部を設けたノック体の前後方向の移動を阻止するために、ペン先を軸筒の前端開口から突出させた状態において、ノック体である摩擦体に設けた係合部を軸筒に設けた被係合部に係合させる構造としてある。したがって、摩擦を行う際には摩擦体の係合部を軸筒に被係合部に係合させる動作が必要であり、さらに摩擦時は、軸筒の前端開口から突出したペン先が使用者の顔側に位置することから気をつけて摩擦を行う必要があった。
【先行技術文献】
【特許文献】
【０００３】
【特許文献１】特開２０１１−１５６８２６号公報
【特許文献２】特開２０１１−２３０４７４号公報
【特許文献３】特開２０１１−３７０８７号公報
【発明の概要】
【発明が解決しようとする課題】
【０００４】
本発明では、ノック体に設けた弾性材料からなる摩擦部材が、摩擦時に変形したり揺れ動き難くすると共に、摩擦時においてノック体が前進することによる誤作動が発生し難い構造の熱変色性筆記具を得ることを目的とした。
【課題を解決するための手段】
【０００５】
本発明は、
「軸筒の後端開口から突出する弾性材料からなる摩擦部材を有したノック体を操作することにより、前記軸筒内に配設した固定カムを前進させると共に当該軸筒内に配設した回転カムを回動させ、前記軸筒の内部に収容した筆記体のペン先が該軸筒の前端孔より突出した状態となる熱変色性筆記具であって、前記固定カムの上方に前記軸筒の後端開口から突出する突出部を形成し、前記摩擦部材の側面の一部を膨出させて紙面等に接触させる摩擦部を形成し、前記摩擦部材に貫通孔を形成して該貫通孔に前記突出部を挿着させて一体とし、前記摩擦部材の貫通孔を前記軸筒の軸心に沿って形成すると共に、前記固定カムに形成した突出部の後端に前記摩擦部材の後端面より露出する鍔部を形成し、且つ筆記体のペン先を前記軸筒の内部に収容した状態で前記摩擦部材の前端部の外側面を該軸筒の後端部の内側面に近接させる構造としたことを特徴とする熱変色性筆記具。」である。
【０００６】
摩擦部材を成形する弾性材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。尚、前記摩擦部材を成形する弾性材料は、高摩耗性の弾性材料（例えば、消しゴム等）よりも、摩擦時に消しカスが生じない低摩耗性の弾性材料が好ましい。また、固定カムは突出部によって弾性材料で形成された摩擦部材を支持させるために、硬質樹脂や金属など硬質材料で形成すればよい。
また摩擦部材の側面に形成する摩擦部は、摩擦部材の外周に沿ってフランジ状に形成したり、摩擦部材の外周に複数の凸部を放射状に形成してもよい。
【０００７】
本発明における摩擦部材の前端部と軸筒の後端部との隙間の関係は、摩擦部材を有したノック体を軸心に沿って押動した際には前進させることができ、且つ摩擦部材の摩擦部を紙面等に接触させて摩擦させる際には、軸筒が斜めに傾斜することでノック体が軸筒に対して傾いて、摩擦部材の前端部の外側面が軸筒の後端部の内側面に当接してノック体の前進が防止されるようにすることが肝要である。
また、摩擦部材の貫通孔を軸筒の軸心に沿って形成すると共に、固定カムに形成した突出部の後端に、摩擦部材の後端面より露出する鍔部を形成する場合には、鍔部が摩擦部材の貫通孔を挿通できるようにすると共に、当該鍔部と突出部の根元に形成した固定カムの段部とで摩擦部材の前後を挟持できるように形成することが好ましい。尚、鍔部の後端面は、平坦形状や円弧形状などノック操作の際に使用者の指が痛くならない形状に形成することが好ましい。
さらに、固定カムの段部に摩擦部材の前端面にくい込む突起を形成することにより、摩擦時に摩擦部材が回転してしまうことを防止できる。
【発明の効果】
【０００８】
本発明の熱変色性筆記具によれば、ノック体に設けた摩擦部材の外側面が軸筒の後端開口と固定カムに設けた突出部とで支持されるので、摩擦時において摩擦部材が変形したり揺れ動くことを防止し、筆記体のペン先を前記軸筒の内部に収容した状態で摩擦を行う際にも、ノック体の前進による誤作動が生じ難いものとなる。
【図面の簡単な説明】
【０００９】
【図１】本実施例のボールペンにおける筆記体のペン先を軸筒の内部に収容した状態を示した断面図である。
【図２】本実施例のボールペンにおける筆記体のペン先を軸筒の前端開口より突出させた状態を示した断面図である。
【図３】本実施例のボールペンの要部を示した分解図である。
【図４】本実施例のボールペンで筆記を行っている状態を示した斜視図である。
【図５】本実施例のボールペンで摩擦を行っている状態を示した斜視図である。
【図６】摩擦を行っている状態の要部を示した断面図である。
【発明を実施するための形態】
【００１０】
次に図面を参照しながら、本実施例の熱変色性筆記具について説明を行う。尚、本実施例では、熱変色性筆記具としてボールペンについての説明を行うが、本発明は以下の実施例に限定されるものではない。また、図中の同じ部材、同じ部品については、同じ符号としてある。図中においてペン先がある側を前方とし反対側を後方として表現する。
【実施例】
【００１１】
図１〜図３を用いて、本実施例のボールペン構造について説明を行う。
図１は本実施例のボールペンにおける筆記体のペン先を軸筒の内部に収容した状態を示した断面図である。図２は本実施例のボールペンにおける筆記体のペン先を軸筒の前端開口より突出させた状態を示した断面図である。図３は本実施例のボールペンの要部を示した分解図である。
ボールペン１は、前軸２と後軸３とを螺合して形成した軸筒４内に、レフィル５を収容してある。レフィル５は、ボールペンチップをペン先６とし、ペン先６の後方にインキ収容筒７を装着してあり、軸筒４内に配したコイルスプリング８にて後方へ弾発され、軸筒４の後端開口４ａから突出した摩擦部材９を有したノック体１０を前方へ押動するように操作することによって、軸筒４の前端開口４ｂからペン先６を出没させることができる構造である。
【００１２】
軸筒４の内部には、従来構造の回転カム機構が設けられており、後軸３の後端部３ａの内壁面には複数のカム溝１１を形成してあり、前方に山型状の凹凸部１２ａを形成し、外周面に前記カム溝１１に係合する複数の突起１２ｂを有した固定カム１２を配設し、固定カム１２の前方に、前記カム溝１１に係合する複数のカム突起１３ａを外周面に周状に形成し、前記固定カム部１２の凹凸部１２ａに噛合う噛合部１３ｂを有した回転カム１３を配設してあり、カム突起１３ａはカム溝１１に係止して回転カム１３はカム溝１１に沿って前後に移動可能としてある。
固定カム１２の後方には、軸筒４の軸心に沿って摩擦部材９に形成した貫通孔９ａに挿着させる突出部１２ｃを形成してあり、摩擦部材９の前端面９ｂを、固定カム１２の突出部１２ｃの根元に形成した段部１２ｄに当接させ、摩擦部材９の後端面９ｃを、固定カム１２の突出部１２ｃの後端に形成した鍔部１２ｅに当接させ、摩擦部材９の前後を挟持してある。また本実施例では、固定カム１２の段部１２ｄに、摩擦部材９の前端面９ｂにくい込む円錐状の突起１２ｆを形成してあり摩擦部材９の回転を防止してある。また摩擦部材９の後方の外側面９ｄには、断面半円状で円環状に膨出させた摩擦部９ｅを形成しており、紙面等に接触させて摩擦できるようにしてある。
【００１３】
本実施例のボールペン１は、図１に示した状態のノック体１０を前方へ押動するように操作することで、固定カム１２の前進に伴い回転カム１３のカム突起１３ａがカム溝１１の前端に移動し、固定カム１２の凹凸部１２ａの傾斜により回転カム１３のカム突起１３ａのカム斜面１３ｃがカム溝１１のカム斜面１１ａを滑り、レフィル５を介してコイルスプリング８で後方へ弾発された回転カム１３のカム突起１３ａが複数のカム溝１１間に形成された係合部１１ｂに係合して、ペン先６を軸筒４の前端開口４ｂから突出させた状態で維持することができ、図２に示した状態のノック体１０を再度前方へ押動するように操作することで、回転カム１３のカム突起１３ａとカム溝１１間の係合部１１ｂの係合状態を解除して、回転カム１３のカム突起１３ａと固定カム１２の突起１２ｂをカム溝１１の後方へ後退させ、図１に示した状態のようにペン先６を軸筒４の内部に収容させることができる。
【００１４】
尚、ノック体１０を前方へ押動する際には、使用者は摩擦部材９の後端面９ｃと共に固定カム１２の鍔部１２ｅにも触れるが、本実施例の鍔部１２ｅの後端面１２ｇは平坦形状に形成してあるため、ノック操作の際に使用者の指が痛くなることはなかった。
【００１５】
図４に示すように、本実施例のボールペン１は、軸筒４の前端開口４ｂから突出させたペン先６で紙面１００に熱変色性インキの筆跡１０１を形成することができた。
【００１６】
次に、図５および図６を用いて、本実施例のボールペンで摩擦を行う状態についての説明を行う。図５は本実施例のボールペンで摩擦を行っている状態を示した斜視図であり、図６は摩擦を行っている状態の要部を示した断面図である。図６に示すように、本実施例のボールペン１は、摩擦時において摩擦部材９の摩擦部９ｅが紙面１００に接した際に、
摩擦部材９の前端部９ｆの外側面９ｄが後軸３の後端部３ａの内側面３ｂに当接してノック体１０の前進が防止される構造となっている。尚、本実施例では、摩擦部材９の後端面９ｃより固定カム１２の鍔部１２ｅが露出していることから、使用者が必然的に軸筒４を紙面１００に対して傾斜させて摩擦部材９を接触することとなり、ノック体１０が前進することによる誤作動が発生することなく、また使用者の顔側に向かって軸筒４の前端開口４ｂからペン先６が突出することも防止できた。
【００１７】
また図５に示したように、摩擦部材９の摩擦部９ｅで摩擦を行う際には、摩擦部材９に回転する方向の力も加わるが、前述の通り本実施例の固定カム１２の段部１２ｄに、摩擦部材９の前端面９ｂにくい込む円錐状の突起１２ｆを形成したことから、摩擦部材９の不要な回転を防止することができた。
【符号の説明】
【００１８】
１…ボールペン、２…前軸、
３…後軸、３ａ…後端部、３ｂ…内側面、
４…軸筒、４ａ…後端開口、４ｂ…前端開口、
５…レフィル、６…ペン先、
７…インキ収容筒、８…コイルスプリング、
９…摩擦部材、
９ａ…貫通孔、９ｂ…前端面、９ｃ…後端面、
９ｄ…外側面、９ｅ…摩擦部、９ｆ…前端部、
１０…ノック体、
１１…カム溝、１１ａ…カム斜面、１１ｂ…係合部、
１２…固定カム、１２ａ…凹凸部、１２ｂ…突起、
１２ｃ…突出部、１２ｄ…段部、１２ｅ…鍔部、
１２ｆ…突起、１２ｇ…後端面、
１３…回転カム、１３ａ…カム突起、１３ｂ…噛合部、
１３ｃ…カム斜面、
１００…紙面、１０１…筆跡。
【図１】
0006419531.tif 000002
【図２】
0006419531.tif 000003
【図３】
0006419531.tif 000004
【図４】
0006419531.tif 000005
【図５】
0006419531.tif 000006
【図６】
0006419531.tif 000007